(57)【要約】      （修正有）【課題】相異なる多くの業態側必要映像物が統合環境内で並列に高速レンダリング処理される。【解決手段】統合レンダリング管理サーバ20はＳＧＤハンドリングエージェント10から出力された各ＳＧＤ300を一括取り合わせて圧縮解除した後、圧縮解除されたＳＧＤ300のレンダリング分散実行を外部指示すると共に、レンダリング実行状況を持続的にモニタリングし誤謬をチェックし、レンダリング処理完了された結果データを取り合わせて貯蔵管理する役割をし、レンダリング実行ツール40は統合レンダリング管理サーバ20の制御下でＳＧＤ300を分散レンダリング処理し、一連のレンダリング結果データを生成した後、生成完了されたレンダリング結果データを統合レンダリング管理サーバ20に出力する役割をする。【選択図】  図１
2005056373.tif 000002
【特許請求の範囲】
【請求項１】
一連のソースグラフィックデータ著作ツールを備えた状態で通信網に接続中である多数の業体（機関）側コンソールに個別設置され、前記ソースグラフィックデータ著作ツールにより著作されたソースグラフィックデータを選択的に抽出した後、抽出完了されたソースグラフィックデータを特定形式に変換し、変換完了されたソースグラフィックデータを圧縮して通信網に出力するソースグラフィックデータハンドリングエージェントと；
前記通信網を媒介にし、ソースグラフィックデータハンドリングエージェントと選択的に１：Ｎ信号連結され、ソースグラフィックデータハンドリングエージェントから出力された各ソースグラフィックデータを一括取り合わせて圧縮解除した後、圧縮解除されたソースグラフィックデータのレンダリング分散実行を外部指示すると共に、レンダリング実行状況を持続的にモニタリングし、誤謬をチェックし、レンダリング処理完了された結果データを取り合わせて貯蔵管理する統合レンダリング管理サーバと；
前記統合レンダリング管理サーバと並列に信号連結され、 前記統合レンダリング管理サーバの制御下で、ソースグラフィックデータを分散レンダリング処理し、一連のレンダリング結果データを生成した後、生成完了されたレンダリング結果データを前記統合レンダリング管理サーバに出力する多数のレンダリング実行ツ−ルを含むことを特徴とするオンライン網を基盤とする統合レンダリングシステム。
【請求項２】
請求項１において、前記ソースグラフィックデータハンドリングエージェントは前記ソースグラフィックデータ著作ツールにより著作された全体ソースグラフィックデータのうち、レンダリング手続きに必須的に必要なソースグラフィックデータだけを選別抽出するソースグラフィックデータ選択抽出モジュールと；
前記ソースグラフィックデータ選択抽出モジュールにより選別抽出されたソースグラフィックデータを前記統合レンダリング管理サーバに適した形式に変換するソースグラフィックデータ変換モジュールと；
前記ソースグラフィックデータ変換モジュールにより変換完了されたソースグラフィックデータを圧縮・管理する圧縮管理モジュールと；
前記ソースグラフィックデータ選択抽出モジュール、ソースグラフィックデータ変換モジュール及び圧縮・管理モジュールの動作状況を総括・制御し、前記圧縮・管理モジュールにより圧縮完了されたソースグラフィックデータを前記統合レンダリング管理サーバに出力するソースグラフィックデータハンドリングコントローラを含むことを特徴とするオンライン網を基盤とする統合レンダリングシステム。
【請求項３】
請求項２において、前記ソースグラフィックデータ選択抽出モジュールは前記ソースグラフィックデータ著作ツールにより著作されたソースグラフィックデータを選択的に開放するソースグラフィックデータ開放部と；
前記ソースグラフィックデータ開放部により開放されたソースグラフィックデータを検索し、予め定められたキー情報だけを選択検出するソースグラフィックデータ検索部と；
前記ソースグラフィックデータ検索部により検索されたキー情報の実効性可否をチェックするソースグラフィックデータ設定内訳チェック部と；
前記ソースグラフィックデータ設定内訳チェック部のチェック結果により、全体ソースグラフィックデータのうち、キー情報と関わった抽出対象ソースグラフィックデータを選定し、選定完了された抽出対象ソースグラフィックデータに基づき、一連のソースグラフィックデータ抽出リストを生成するソースグラフィックデータ抽出リスト生成部と；
前記ソースグラフィックデータ抽出リスト生成部により生成されたソースグラフィックデータ抽出リストに基づき、全体ソースグラフィックデータのうち、抽出対象ソースグラフィックデータを選択抽出するソースグラフィックデータ抽出部と；
前記ソースグラフィックデータ抽出部により選択抽出されたソースグラフィックデータに基づき、該ソースグラフィックデータの伝送に必要な一連のソースグラフィックデータ伝送リストを生成するソースグラフィックデータ伝送リスト生成部と；
前記ソースグラフィックデータ開放部、ソースグラフィックデータ検索部、ソースグラフィックデータ設定内訳チェック部、ソースグラフィックデータ抽出リスト生成部、ソースグラフィックデータ抽出部及びソースグラフィックデータ伝送リスト生成部を総括制御するソースグラフィックデータ抽出管理部を含むことを特徴とするオンライン網を基盤とする統合レンダリングシステム。
【請求項４】
請求項１において、前記統合レンダリング管理サーバは前期ソースグラフィックデータハンドリングエージェントから伝送された前記ソースグラフィックデータを一括取り合わせた後、該ソースグラフィックデータ分散レンダリング手続きを総括・管理する統合レンダリング管理モジュールと；
前記統合レンダリング管理モジュールと一連の信号連結関係を形成し、前期統合レンダリング管理モジュールの制御下で、前期ソースグラフィックデータの圧縮状態を管理する圧縮管理モジュールと；
前記レンダリング実行ツール及び前記統合レンダリング管理モジュールと一連の信号連結関係を形成し、前期レンダリング実行ツールの個別作業状況に合せ、前記ソースグラフィックデータのレンダリング作業を選択的に指示するレンダリング作業指示管理モジュールと；
前記統合レンダリング管理モジュールと一連の信号連結関係を形成し、前記統合レンダリング管理モジュールの制御下で、前記レンダリング実行ツールから出力された前記レンダリング結果データの正常有無をチェックするレンダリング結果データチェックモジュールと；
前記統合レンダリング管理モジュールと一連の信号連結関係を形成し、前記統合レンダリング管理モジュール制御下で、前記レンダリング結果データチェックモジュールによりチェック完了されたレンダリング結果データを貯蔵管理するレンダリング結果データ貯蔵管理モジュールを含むことを特徴とするオンライン網を基盤とする統合レンダリングシステム。
【請求項５】
請求項１において、前記各レンダリング実行ツールは、前記統合レンダリング管理サーバと一連の信号連結関係を形成し、前記統合レンダリング管理サーバの指示により、前期ソースグラフィックデータのレンダリング手続きを総括・管理する統合レンダリング管理モジュールと；
前記レンダリング管理モジュールと一連の信号連結関係を形成し、前期レンダリング管理モジュールの制御下で、前期ソースグラフィックデータを実質的にレンダリング加工し、一連のレンダリング結果データを生成するレンダリング実行エンジンと；
前記レンダリング管理モジュールと一連の信号連結関係を形成し、前期レンダリング管理モジュールの制御下で、前期レンダリング実行エンジンから出力されるレンダリング結果データを伝達された後、該レンダリング結果データのフォーマットを前記業体(機関)側コンソールに適した形式に変換するデータフォーマット変換モジュールを含むことを特徴とするオンライン網を基盤とする統合レンダリングシステム。
【請求項６】
一連のソースグラフィックデータ著作ツールを備えた状態で、統合レンダリング管理サーバ側に接続中である多数の業体(機関)側コンソールに個別設置されるソースグラフィックデータハンドリングエージェントの主導で進行され、
一連のソースグラフィックデータレンダリング依頼イベントが発生したか否かを判断する段階と；
前記ソースグラフィックデータ依頼イベントが発生した場合、ソースグラフィックデータ著作ツールにより著作されたソースグラフィックデータを選択的に開放した後、開放完了されたソースグラフィックデータを検索し、予め定められたキー情報だけを選択検出する段階と；
前記キー情報の実効性の可否をチェックする段階と；
前記キー情報の実効性の可否のチェック結果に従って全体ソースグラフィックデータのうち、キー情報と関わった一連の抽出対象ソースグラフィックデータを選定し、選定し完了された前記抽出対象ソースグラフィックデータ内訳の反映された一連のソースグラフィックデータ抽出リストを生成する段階と；
前記ソースグラフィックデータ抽出リストに基づき、全体ソースグラフィックデータのうち、抽出対象ソースグラフィックデータを選択抽出する段階と；
前記選択抽出されたソースグラフィックデータに基づき、該ソースグラフィックデータの伝送に必要な一連のソースグラフィックデータ伝送リストを生成した後、生成完了されたソースグラフィックデータ伝送リスト及びソースグラフィックデータを前記統合レンダリング管理サーバ側に伝送する段階を含むことを特徴とするオンライン網を基盤とするレンダリングターゲットデータハンドリング方法。
【発明の詳細な説明】
【技術分野】
【０００１】
本発明はオンライン網を基盤とする統合レンダリングシステムに関わり、さらに詳細には各業体（機関）側コンソール(Console)から出力されるターゲット映像物は１：N取り合わせた後、取り合わせて完了されたターゲット映像物を多数のレンダリングツールを介して分散・処理できる一連のモジュール環境を構築し、これを通して相異なる多くの業体側必要映像物が統合環境内で並列に高速レンダリング処理されることが出来るようにガイドすることにより、各業体(機関)側で自体コンピュータ資源の活用なしにも、所期のレンダリング映像物を容易に取得できるように誘導しうるオンライン網を基盤とする統合レンダリングシステムに関わる。さらに、本発明はこのようなレンダリングシステムを用いたレンダリングターゲットデータハンドリング方法に関するものである。
【背景技術】
【０００２】
最近、コンピュータグラフィック関連技術が急激な発展を成し遂げてから、例えば、アニメーション等のような一連の仮想映像物をその形状（形状？）や位置、光源等の外部情報に基づいて実感わく画像で表現するレンダリング技術がまた急激な発展を成し遂げている。
【０００３】
例えば、特許文献１“映像レンダリング方法及び装置”、特許文献２“映像レンダリング方法及び装置”、 特許文献３“屈折のあるイメージをレンダリングする方法及び装置”、 特許文献４“レンダリングデバイス及び装置”、 特許文献５“トランスマーキング、レンダリング命令としてのウォーターマーク挿入機能、及びマルチメディア信号の特徴―基盤ウォーターマーキング”等には従来の技術によるレンダリング手続きがさらに詳細に開示されている。
【０００４】
通常、従来の体制化で、映像物を生産・供給する業体(機関)側では一連のレンダリング手続きを自体コンピュータ資源を介して行っている。
【０００５】
しかし、前記レンダリング手続きは一般の映像デザイン手続きを凌ぐ高度の画像加工手続きであるため、もし、各業体(機関)で所定のターゲット映像物を自体保有中であるコンピュータ資源を通し、一々レンダリング処理するためには該自体保有コンピュータ資源が大量に長時間消耗されるしかない問題点をやむを得ず受け入れざるを得なくなる。
【０００６】
即ち、従来の自体レンダリング処理の体制下で別途の措置が取れない限り、映像物を生産・供給する業体(機関)では高価コンピュータ資源の自体具備による費用所要の問題点、該映像物のレンダリング結果を長時間待たなければならない問題点等をそっくりみんな受け入れるしかなくなることである。
【０００７】
勿論、このような問題点を原因とし、映像物供給日程に蹉跌を来たす場合、各業体（機関）と関係を結んだ多数の理解当事者ら又予測しなかった善意の被害を被るしかなくなる。
【特許文献１】韓国特許公開公報第2001−113720号
【特許文献２】韓国特許公開公報第2002−12598号
【特許文献３】韓国特許公開公報第2002−31179号
【特許文献４】韓国特許公開公報第2002−63917号
【特許文献５】韓国特許公開公報第2002−84216号
【発明の開示】
【発明が解決しようとする課題】
【０００８】
従って、本発明の目的は 各業体（機関）側コンソールから出力されるターゲット映像物は１：N取り合わせた後、取り合わせて完了されたターゲット映像物を多数のレンダリングツールを介して分散・処理できる一連のモジュール環境を構築し、これを通して相異なる多くの業体側必要映像物が統合環境内で並列に高速レンダリング処理されることが出来るようにガイドすることにより、各業体(機関)側で自体コンピュータ資源の活用なしにも、所期のレンダリング映像物を容易に取得できるように誘導することにある。
【０００９】
本発明のもう一つの目的は任意の各業体(機関)側で要請した多数の映像物を並列に速成レンダリング処理できる一連のモジュール環境を構築し、これを通し、各業体(機関)側では映像物自体のレンダリングプロセスの進行必要性を自然に排除させることにより、高価コンピュータ資源の自体具備による費用所要の問題点、ターゲット映像物のレンダリング結果を長時間待たなければならないという問題点等を容易に避けられるように誘導することにある。
【００１０】
本発明のさらなるもう一つの目的は次の詳細な説明と添付された図面からより明確になるであろう。
【課題を解決するための手段】
【００１１】
前記したような目的を達成するために、本発明では一連のソースグラフィックデータ(Source Graphic Data; 以下“ＳＧＤ”と呼ぶ)著作ツールを備えた状態で通信網に接続中である多数の業体（機関）側コンソールに個別設置され、前記ＳＧＤ著作ツールにより著作されたＳＧＤを選択的に抽出した後、抽出完了されたＳＧＤを特定形式に変換し、変換完了されたＳＧＤを圧縮して通信網に出力するＳＧＤハンドリングエージェントと、前記通信網を媒介にし、ＳＧＤハンドリングエージェントと選択的に１：Ｎ信号連結され、ＳＧＤハンドリングエージェントから出力された各ＳＧＤを一括取り合わせて圧縮・解除した後、圧縮・解除されたＳＧＤのレンダリング分散実行を外部指示すると共に、レンダリング実行状況を持続的にモニタリングし、誤謬をチェックし、レンダリング処理完了された結果データを取り合わせて貯蔵管理する統合レンダリング管理サーバと、前記統合レンダリング管理サーバと並列に信号連結され、 統合レンダリング管理サーバの制御下でＳＧＤを分散レンダリング処理し、一連のレンダリング結果データを生成した後、生成完了されたレンダリング結果データを統合レンダリング管理サーバに出力する多数のレンダリング実行ツールの組合からなるオンライン網を基盤とする統合レンダリングシステムを開示する。
【００１２】
なお、本発名では一連のＳＧＤレンダリング依頼イベントが発生したか否かを判断する段階と、ＳＧＤ依頼イベントが発生した場合、ＳＧＤ著作ツールにより著作されたＳＧＤを選択的に開放した後、開放完了されたＳＧＤを検索し、予め定められたキー情報だけを選択検出する段階と、キー情報の実効性の可否をチェックする段階と、キー情報の実効性の可否のチェック結果に従って全体ＳＧＤのうち、キー情報と関わった一連の抽出対象ＳＧＤを選定し、選定し完了された抽出対象ＳＧＤ内訳の反映された一連のＳＧＤ抽出リストを生成する段階と、このＳＧＤ抽出リストに基づき、全体ＳＧＤのうち、抽出対象ＳＧＤを選択抽出する段階と、選択抽出されたＳＧＤに基づき、該ＳＧＤの伝送に必要な一連のＳＧＤ伝送リストを生成した後、生成完了されたＳＧＤ伝送リスト及びＳＧＤを統合レンダリング管理サーバ側に伝送する段階の組合からなるレンダリングターゲットデータハンドリング方法を開示する。
【実施例１】
【００１３】
以下、添付された図面を参照しながら、本発明によるオンライン網を基盤とする統合レンダリングシステムをさらに詳細に説明すると次の通りである。
【００１４】
図1に示されたように、本発明によるオンライン網を基盤とする統合レンダリングシステム(100)は大きく一連のＳＧＤ著作ツール（2）を備えた状態で通信網（200）に接続中である多数の業体（機関）側コンソール（1）に個別設置されるＳＧＤハンドリングエージェント(10)と、前記通信網（200）を媒介とし、ＳＧＤハンドリングエージェント(10)と選択的に１：Ｎ信号連結される統合レンダリング管理サーバ(20)と、この統合レンダリング管理サーバ(20)と並列に信号連結される多数のレンダリング実行ツール(40)の組合からなる。
【００１５】
この際、ＳＧＤハンドリングエージェント(10)は業体（機関）側コンソール（1）に設けられたＳＧＤ著作ツール（2）により著作されたＳＧＤ（300）を選択的に抽出した後、抽出完了されたＳＧＤ（300）を、例えば、統合レンダリング管理サーバ(20)に適した形式に変換し、変換完了されたＳＧＤ（300）を圧縮し、通信網（200）に出力する役割をし、統合レンダリング管理サーバ(20)は前記ＳＧＤハンドリングエージェント(10)から出力された各ＳＧＤ（300）を一括取り合わせて圧縮解除した後、圧縮解除されたＳＧＤ（300）のレンダリング分散実行を外部指示すると共に、レンダリング実行状況を持続的にモニタリングし誤謬をチェックし、レンダリング処理完了された結果データを取り合わせて貯蔵管理する役割をし、レンダリング実行ツール(40)は統合レンダリング管理サーバ(20)の制御下でＳＧＤ（300）を分散レンダリング処理し、一連のレンダリング結果データを生成した後、生成完了されたレンダリング結果データを統合レンダリング管理サーバ(20)に出力する役割をする。
【００１６】
ここで、図面に示されたように、上述したＳＧＤハンドリングエージェント（10）は、ＳＧＤハンドリングコントローラ（11）、ＳＧＤ選択抽出モジュール（12）、ＳＧＤ変換モジュール（13）、圧縮管理モジュール（14）、通信保安モジュール（15）、通信モジュール（16）等の組合からなる。
【００１７】
この際に、ＳＧＤハンドリングコントローラ（11）はＳＧＤ選択抽出モジュール（12）、ＳＧＤ変換モジュール（13）、通信保安モジュール（15）及び圧縮管理モジュール（14）の動作状況を総括・制御すると共に、圧縮管理モジュール（14）により圧縮完了されたＳＧＤ（300）を統合レンダリング管理サーバ(20)に出力する役割をし、ＳＧＤ選択抽出モジュール（12）はＳＧＤ著作ツール（2）により著作された全体ＳＧＤ（300）のうち、レンダリング手続きに必須的に必要なＳＧＤだけを選別抽出する役割をする。
【００１８】
また、ＳＧＤ変換モジュール（13）は前記ＳＧＤ選択抽出モジュール（12）により選別抽出されたＳＧＤ（300）を統合レンダリング管理サーバ(20)に適した形式に変換する役割をし、圧縮管理モジュール（14）は前記ＳＧＤ変換モジュール（13）により変換完了されたＳＧＤ（300）を圧縮・管理する役割をする。
【００１９】
これと共に、通信保安モジュール（15）は前期圧縮管理モジュール（14）により圧縮完了されたＳＧＤ（300）に一連の保安暗号を設定する役割をし、通信モジュール（16）はＳＧＤハンドリングコントローラ（11）の制御下で、通信保安モジュール（15）により保安暗号が設定されたＳＧＤ（300）を通信網（200）を媒介にし、統合レンダリング管理サーバ(20)側に伝送する役割をする。
【００２０】
ここで、図２に示されるように、前述したＳＧＤ選択抽出モジュール（12）は大きくＳＧＤ抽出管理部(3)、ＳＧＤ開放部(5)、ＳＧＤ検索部(7)、ＳＧＤ設定内訳チェック部(4)、ＳＧＤ抽出リスト生成部(8)、ＳＧＤ抽出部、ＳＧＤ伝送リスト生成部(9)等の組合からなる。
【００２１】
この際、ＳＧＤ抽出管理部(3)はインターフェイス(3a)を媒介にし、前記ＳＧＤハンドリングコントローラ（11）と一連の信号連結関係を形成した状態で、ＳＧＤ開放部(5)、ＳＧＤ検索部(7)、ＳＧＤ設定内訳チェック部(4)、ＳＧＤ抽出リスト生成部(8)、ＳＧＤ抽出部(6)及びＳＧＤ伝送リスト生成部(9)を総括制御する役割をし、ＳＧＤ開放部(5)は前述したＳＧＤ著作ツール（2）により著作されたＳＧＤ（300）を選択的に開放する役割をする。
【００２２】
また、 ＳＧＤ検索部(7)はＳＧＤ開放部(5)により開放されたＳＧＤ（300）を、例えば、拡張子別に検索し、このＳＧＤ（300）に記録された多くの情報のうち、事前に予め定められたキー情報だけを選択的に検出する役割をし、ＳＧＤ設定内訳チェック部(4)はＳＧＤ検索部(7)により検索されたキー情報の実効性可否、例えば、キー情報の経路が業体（機関）側コンソール（1）のデータ領域に実際に存在するかの可否、キー情報のファイル名が業体（機関）側コンソール（1）のデータ領域に実際に存在するかの可否等をチェックする役割をする。
【００２３】
また、ＳＧＤ抽出リスト生成部(8)はＳＧＤ設定内訳チェック部(4)のチェック結果により、全体ＳＧＤ（300）のうち、キー情報と連関された抽出対象ＳＧＤ（300）を選定し、選定完了された抽出対象ＳＧＤ（300）に基づき、一連のＳＧＤ抽出リストを生成する役割をし、ＳＧＤ抽出部(6)は前記ＳＧＤ抽出リスト生成部(8)により生成されたＳＧＤ抽出リストに基づき、全体ＳＧＤ（300）のうち、一連の抽出対象ＳＧＤ（300）を選択抽出する役割をする。
【００２４】
以外に、ＳＧＤ伝送リスト生成部(9)はＳＧＤ抽出部(6)により選択抽出されたＳＧＤ（300）に基づき、該ＳＧＤ（300）の伝送に必要な一連のＳＧＤ伝送リストを生成する役割をする。追後、後術する統合レンダリング管理サーバ(20)側ではこのＳＧＤ伝送リストに基づき、本発明固有の統合レンダリング手続きをさらに安定的に行うことが出来ることになる。
【００２５】
一方、前述した図１に示されたように、通信網（200）を媒介にし、ＳＧＤハンドリングエージェント(10)と通信する統合レンダリング管理サーバ(20)は大きく統合レンダリング管理モジュール(21)及びこの統合レンダリング管理モジュール(21)と一連の信号連結関係を形成する圧縮管理モジュール(36)、レンダリング作業指示管理モジュール(33)、レンダリング結果データチェックモジュール（35）等の組合からなる。
【００２６】
この際、統合レンダリング管理モジュール(21)は上述したＳＧＤハンドリングエージェント(10)から伝送されたＳＧＤ（300）を一括取り合わせた後、該ＳＧＤ（300）の分散レンダリング手続きを統括・管理する役割をし、圧縮管理モジュール(36)は統合レンダリング管理モジュール(21)の制御下で、例えば、“インターフェイスモジュール（23）を媒介に、ＳＧＤハンドリングエージェント(10)から伝送されるＳＧＤ（300）の圧縮を解除するプロセス”、“統合レンダリング管理モジュール(21)側から出力されるレンダリング結果データを圧縮するプロセス”等を行い、ＳＧＤ（300）の圧縮状態を弾力的に管理する役割をする。
【００２７】
これと共に、レンダリング作業指示管理モジュール(33)は各レンダリング実行ツール(40)と一連の信号連結関係を形成した状態で、該レンダリング実行ツール(40)の個別作業状況に合せてＳＧＤ（300）のレンダリング作業を選択的に指示する役割をし、レンダリング結果データチェックモジュール(35)は統合レンダリング管理モジュール(21)の制御下で前記レンダリング実行ツール(40)から出力されるレンダリング結果データの正常有無、例えば、“レンダリング結果データのサイズが予め定められた誤差範囲内にあるかどうかの可否”等をチェックする役割をする。
【００２８】
この際、図面に示されたように、統合レンダリング管理サーバ(20)には上述した各構成要素以外にも、通信保安モジュール(22)、通信状態チェックモジュール(32)、レンダリング誤謬データチェックモジュール(34)、レンダリング結果データ貯蔵管理モジュール(24)、運営管理モジュール(26)、課金管理モジュール(25)等がさらに配置される。
【００２９】
ここで、通信保安モジュール(22)は統合レンダリング管理モジュール(21)の制御下で、例えば、“インターフェイスモジュール（23）を媒介に、ＳＧＤハンドリングエージェント(10)から伝送されるＳＧＤ (10)の保安暗号を解除するプロセス”、“統合レンダリング管理モジュール(21)側から出力されるレンダリング結果データに所定の保安暗号を設定するプロセス”等を行い、ＳＧＤ（300）の保安暗号状態を弾力的に管理する役割をし、通信状態チェックモジュール(32)は統合レンダリング管理モジュール(21)の制御下で、各レンダリング実行ツール(40)のネットワーク状態をチェックし、もし、各レンダリング実行ツール(40)とのネットワーキング状態で異常が発見される場合、これを統合レンダリング管理モジュール(21)側に速やかに通知する役割をする。
【００３０】
なお、レンダリング誤謬データチェックモジュール(34)は統合レンダリング管理モジュール(21)の制御下で、レンダリング実行ツール(40)から出力されるレンダリングエラーメッセージ、レンダリング警告メッセージ等をチェックし、その結果を統合レンダリング管理モジュール(21)に速やかに通知することにより、もし、レンダリング実行ツール(40)によるレンダリング手続きに一連の誤謬状況が発生しても、例えば、レンダリング作業指示管理モジュール(33)による再作業指示を通して該誤謬状況が弾力的に治癒されうるようにガイドする役割をする。
【００３１】
また、レンダリング結果データ貯蔵管理モジュール(24)は統合レンダリング管理モジュール(21)の制御下で、レンダリング結果データチェックモジュール(35)によりチェック完了されたレンダリング結果データを伝達された後、Ｄ/Ｂ管理モジュール(27)との交信を通し、該レンダリング結果データを、例えば、レンダリング結果Ｄ/Ｂ(29)に安定的に貯蔵管理する役割をする。この場合、Ｄ/Ｂ管理モジュール(27)は各種データを貯蔵・出力する役割だけを行うことでなく、該データを重複されることなく一番速やかな時間内に効率的に管理する知能的な役割も同時に行う。
【００３２】
これと共に、運営管理モジュール(26)はＤ/Ｂ管理モジュール(27)との交信を通し、運営管理Ｄ/Ｂ(31)に予め貯蔵されていた一連の運営情報、例えば、“各業体(機関)のログインＩＤ、各業体(機関)のログイン秘密番号、各業体（機関）側コンソールの登録情報、各業体（機関）の住所地情報、各業体(機関)の連絡先情報‥‥”等を選択的に抽出し、抽出完了された運営情報を統合レンダリング管理モジュール(21)側に速やかに伝達することにより、統合レンダリング管理モジュール(21)による細部的な統合レンダリング管理手続きがさらに安定的に行われるよう補助する役割をする。
【００３３】
この外に、課金管理モジュール(25)は統合レンダリング管理モジュール(21)の制御下で、各ＳＧＤレンダリング依頼業体(機関)のレンダリング課金発生現況をモニタリングした後、Ｄ/Ｂ管理モジュール(27)との交信を通し、該課金モニタリング結果データを例えば、課金Ｄ/Ｂ(30)に安定的に貯蔵管理する役割をする。この場合、課金Ｄ/Ｂ(30)には“各業体(機関)の課金発生現況、各業体(機関)決済口座内訳、各業体(機関)の課金契約内訳‥‥”等の様な一連の課金関連情報が貯蔵される。
【００３４】
一方、図３に示されたように、上述した各レンダリング実行ツール(40)は大きくレンダリング管理モジュール(41)、レンダリング実行エンジン(46)、データフォーマット変換モジュール(42)等の組合からなる。
【００３５】
この際、レンダリング管理モジュール(41)は通信モジュール(45)を媒介に統合レンダリング管理サーバ(20)側のレンダリング作業指示管理モジュール(33)と一連の信号連結関係を形成した状態で、このレンダリング作業指示管理モジュール(33)の指示に従い、一連のＳＧＤレンダリング手続きを総括的に進行・管理する役割をし、レンダリング実行エンジン(46)はレンダリング管理モジュール(41)の制御下で、ＳＧＤ（300）を映像加工メモリ(48)のレンダリング領域（48a)にローディングさせた後、一連のレンダリングルーチンを実行させ、ＳＧＤ（300）を実質的にレンダリング加工し、これを通して、一連のレンダリング結果データを安定的に生成する役割をする。この場合、メモリインターフェース(47)はレンダリング実行エンジン(46)及び映像加工メモリ(48)の間を媒介し、レンダリング実行エンジン(46)による一連のレンダリング加工手続きが安定的に行われることが出来るようにガイドする役割をする。
【００３６】
これと共に、データフォーマット変換モジュール(42)はレンダリング管理モジュール(41)の制御下で、レンダリング実行エンジン(46)から出力されるレンダリング結果データを伝達された後、該レンダリング結果データのフォーマットを上述した業体（機関）側コンソール（1）に適した形式に変換する役割をする。
【００３７】
この際、図面に示されたように、各レンダリング実行ツール(40)には前記各構成要素の他にも作業追跡モジュール(44)、通信状態チェックモジュール(43)等がさらに配置される。
【００３８】
ここで、作業追跡モジュール(44)は通信モジュール(45)を媒介に統合レンダリング管理サーバ(20)側のレンダリング誤謬データチェックモジュール(34)と一連の信号連結関係を形成した状態で、レンダリング実行エンジン(46)のレンダリング作業状況をプロセスＩＤ(Process ID)別に追跡管理し、もし、レンダリング実行エンジン(46)に作業異常が発見される場合、一連のレンダリングエラーメッセージ、レンダリング警告メッセージ等を生成し、これをレンダリング誤謬データチェックモジュール(34)側に伝達することにより、統合レンダリング管理サーバ(20)側による一連のレンダリング誤謬状況治癒過程が速やかに行われることが出来るようにガイドする役割をする。
【００３９】
これと共に、通信状態チェックモジュール(43)は通信モジュール(45)を媒介に統合レンダリング管理サーバ(20)側の通信状態チェックモジュール(32)と一連の信号連結関係を形成した状態で、統合レンダリング管理サーバ(20)側とのネットワーク状態をチェックし、もし、統合レンダリング管理サーバ(20)側とのネットワーキング状態に異常が発見される場合、これをレンダリング管理モジュール(41)側に速やかに通知することにより、該ネットワークの異常状況が速やかに治癒されうるようガイドする役割をする。
【００４０】
以下、上述した構成を有する統合レンダリングシステム(100)を用いた本発明固有のレンダリングターゲットデータハンドリング方法を詳細に説明する。
【００４１】
図４及び図５に示されたように、本発明固有のレンダリングターゲットデータハンドリング方法はコンソール側レンダリングターゲットデータハンドリングプロセス(段階Ｓ100)及びサーバ側レンダリングターゲットデータハンドリングプロセス(段階Ｓ200)の組合からなる。
【００４２】
先に、業体（機関）側コンソール（1）側レンダリングターゲットデータハンドリングプロセス(段階Ｓ100)を詳細に説明する。
【００４３】
まず、映像物を生産・供給する業体(機関)では業体（機関）側コンソール（1）に設けられたＳＧＤ著作ツール（2）を活用し、自社（自機関）の所望する一連のＳＧＤ（300）を著作・生産した後、ＳＧＤハンドリングエージェント(10)を実行させ、ＳＧＤ（300）のレンダリングを依頼する。
【００４４】
この状況で、図4に示されたように、ＳＧＤハンドリングコントローラ（11）は業体（機関）側コンソール（1）側運営体制(図示せず)から出力されるデータを持続的にチェックし、一連のＳＧＤレンダリング依頼イベントが発生したか否かを判断する(段階Ｓ101)。
【００４５】
この際、別途のＳＧＤレンダリング依頼イベントが発生しなかったことに判断されると、ＳＧＤハンドリングコントローラ（11）はフローを段階Ｓ102に進行し、一連の待機状態を維持する。
【００４６】
しかし、業体（機関）側の電算作業により、一連のＳＧＤレンダリング依頼イベントが発生されたことに判断されると、ＳＧＤハンドリングコントローラ（11）はその即時、ＳＧＤ選択抽出モジュール（12）を活用してＳＧＤ著作ツール（2）により著作されたＳＧＤ（300）を選択的に開放した後、開放完了されたＳＧＤ（300）を検索し、予め定められたキー情報だけを選択検出する手続きを行う(段階Ｓ103、Ｓ104)。
【００４７】
このような手続き内で、ＳＧＤ選択抽出モジュール（12）のＳＧＤ開放部(5)は前述したＳＧＤ著作ツール（2）により著作されたＳＧＤ（300）を図6に示されたようなプラットホーム (401)に選択・開放する過程を行い、ＳＧＤ検索部(7)はＳＧＤ開放部(5)により開放されたＳＧＤ（300）を例えば、拡張子別に検索し、このＳＧＤ（300）に記録された多くの情報のうち、事前に予め定められたキー情報だけを選択的に検出する過程を行う。
【００４８】
前記過程を通じて、ＳＧＤ著作ツール（2）により著作されたＳＧＤ（300）のうち、予め定められたキー情報だけが選択的に検出・完了されると、ＳＧＤハンドリングコントローラ（11）はその即時、ＳＧＤ選択抽出モジュール（12）の活用を通し、前述したキー情報の実効性可否をチェックする手続き、例えば、キー情報の経路が業体（機関）側コンソール（1）のデータ領域に実際に存在するかどうかの可否、キー情報のファイル名が業体（機関）側コンソール（1）のデータ領域に実際に存在するかの可否等をチェックする手続きを行う(段階Ｓ105)。
【００４９】
このような手続き内で、ＳＧＤ選択抽出モジュール（12）のＳＧＤ設定内訳チェック部(4)は コンソール（1）側との速やかな交信を通してＳＧＤ検索部(7)により検索されたキー情報の実効性可否をチェックし、その結果をＳＧＤ抽出管理部(3)に報告する過程を進行する。
【００５０】
この際、例えば、キー情報である“xx.JPGファイル”が業体（機関）側コンソール（1）のデータ領域に実際に存在していないか、xx.JPGファイルの経路(C:/work/‥‥/”が コンソール（1）のデータ領域に実際に存在しないので、キー情報の実効性のないことに判断されると、ＳＧＤハンドリングコントローラ（11）はその即時、“xx.JPGファイルが存在しないので、該ファイルの位置を正確にご入力なさった後、”等のような一連の誤謬メッセージを生成し、生成の完了された誤謬メッセージを出力する手続きを行う(段階Ｓ106)。
【００５１】
この状況で、ＳＧＤハンドリングコントローラ（11）は コンソール（1）側から一連の修正情報が入力されたか否かを判断する(段階Ｓ107)。
【００５２】
この際、業体（機関）側で、前記誤謬メッセージを熟知し、一連の電算作業を行い、コンソール（1）側から一連の修正情報が入力されると、ＳＧＤハンドリングコントローラ（11）はその即時、ＳＧＤ選択抽出モジュール（12）を活用し、キー情報の設定内訳を変更し(段階Ｓ108)、フローを段階Ｓ104にリターンすることにより、後術する手続きが正常的に行われるようガイドする。
【００５３】
一方、前記段階Ｓ105で、キー情報である“xx.JPGファイル”がコンソール（1）のデータ領域に実際に存在し、xx.JPGファイルの経路“C:/work/…/”が コンソール（1）のデータ領域に実際に存在し、キー情報の実効性が有効なものに判断されると、ＳＧＤハンドリングコントローラ（11）はその即時、全体ＳＧＤ（300）のうち、前記キー情報と関わった一連の抽出対象ＳＧＤ（300）を選定し、選定完了された抽出対象ＳＧＤ（300）内訳の反映された一連のＳＧＤ抽出リストを生成する手続きを行う(段階Ｓ109)。
【００５４】
このような手続き内で、ＳＧＤ選択抽出モジュール（12）のＳＧＤ抽出リスト生成部(8)はＳＧＤ設定内訳チェック部(4)のチェック結果により、全体ＳＧＤ（300）のうち、キー情報と関わった抽出対象ＳＧＤ（300）を選定し、選定完了された抽出対象ＳＧＤ（300）に基づき、図7に示されたような一連のＳＧＤ抽出リスト(402)を生成する過程を行う。
【００５５】
上述した手続きを通して、ＳＧＤ抽出リスト(402)の生成が完了されると、ＳＧＤハンドリングコントローラ（11）はその即時、ＳＧＤ選択抽出モジュール（12）を活用し、“前記ＳＧＤ抽出リスト(402)に基づき、全体ＳＧＤ（300）のうち、抽出対象ＳＧＤ（300）を選択抽出する手続き”、“選択抽出されたＳＧＤ（300）及び業体（機関）側オプションに基づき、該ＳＧＤ（300）の伝送に必要な一連のＳＧＤ伝送リストを生成する手続き”等を順次的に行う(段階Ｓ110、Ｓ111、Ｓ112)。
【００５６】
このような手続き内で、ＳＧＤ抽出部(6)は前記ＳＧＤ抽出リスト生成部(8)により生成されたＳＧＤ抽出リスト(402)に基づき、全体ＳＧＤ（300）のうち、一連の抽出対象ＳＧＤ（300）を選択抽出する過程を行い、ＳＧＤ伝送リスト生成部(9)はＳＧＤ抽出部(6)により選択抽出されたＳＧＤ（300）及び業体（機関）側オプションに基づき、図8に示されたような該 ＳＧＤ の伝送に必要な一連のＳＧＤ伝送リスト(403)を生成する過程を行う。この場合、ＳＧＤ伝送リスト(403)には例えば、業体（機関）側ログインＩＤ、業体(機関)側ログイン秘密番号、業体(機関)側で設定したレンダリング関連オプション、各キー情報の統合レンダリング管理サーバ(20)内ローディング位置……”等が含み込まれる。
【００５７】
前記過程を通じて、ＳＧＤ伝送リスト(403)の生成が完了されると、ＳＧＤハンドリングコントローラ（11）はその即時、ＳＧＤ（300）を変換した後、変換完了されたＳＧＤ（300）及び前記ＳＧＤ伝送リスト(403)を圧縮し、圧縮し完了されたＳＧＤ（300）及びＳＧＤ伝送リスト(403)に保安暗号を設定する手続きを行う（段階Ｓ113、Ｓ114、Ｓ115）。
【００５８】
このような手続き内で、ＳＧＤ変換モジュール（13）は前記ＳＧＤ選択抽出モジュール（12）により選別抽出されたＳＧＤ（300）を統合レンダリング管理サーバ(20)に適した形式に変換する過程を行い、圧縮管理モジュール（14）はＳＧＤ変換モジュール（13）により変換し完了されたＳＧＤ（300）及びＳＧＤ伝送リスト(403)を圧縮・管理する過程を行い、通信保安モジュール（15）は圧縮管理モジュール（14）により圧縮完了されたＳＧＤ（300）及びＳＧＤ伝送リスト(403)に一連の保安暗号を設定する過程を行う。
【００５９】
以降、ＳＧＤハンドリングコントローラ（11）は通信保安モジュール（15）により保安暗号が設定されたＳＧＤ（300）を通信網を媒介にし、統合レンダリング管理サーバ(20)側に伝送する手続きを行い、本発明による一連のコンソール側レンダリングターゲットデータハンドリングプロセス（段階Ｓ100）を安定的に終結する。
【００６０】
次に、本発明による一連のサーバ側レンダリングターゲットデータハンドリングプロセス（段階Ｓ200）を詳細に説明する。
【００６１】
前述の段階Ｓ100が先に進行された状況で、図5に示されたように、統合レンダリング管理サーバ(20)側の統合レンダリング管理モジュール(21)はインターフェースモジュール（23）をチェックすることにより、ＳＧＤハンドリングエージェント(10)から一連の変換ＳＧＤ/ＳＧＤ伝送リスト入力イベントが発生したか否かを判断する（段階Ｓ201）。
【００６２】
この際、ＳＧＤハンドリングエージェント(10)から別途の変換ＳＧＤ/ＳＧＤ伝送リスト入力イベントが発生しなかったことに判断されると、統合レンダリング管理モジュール(21)はフロー段階Ｓ202に進行し、一連の待機状態を保持する。
【００６３】
しかし、前記段階Ｓ100が安定的に終結され、ＳＧＤハンドリングエージェント(10)から一連の変換ＳＧＤ/ＳＧＤ伝送リスト入力イベントが発生したことに判断されると、統合レンダリング管理モジュール(21)はその即時、通信保安モジュール(22)、圧縮管理モジュール(36)、運営管理モジュール(26)等を活用し、ＳＧＤ（300）/ＳＧＤ伝送リスト(403)の暗号/圧縮を解除し、ＳＧＤ（300）及びＳＧＤ伝送リスト(403)を送り出した業体（機関）の正当性の可否を認証する手続きを行う（段階Ｓ203、Ｓ204）。
【００６４】
このような手続き内で、圧縮管理モジュール(36)は統合レンダリング管理モジュール(21)の制御下で、ＳＧＤハンドリングエージェント(10)から伝送されるＳＧＤ（300）及びＳＧＤ伝送リスト(403)の圧縮を解除する過程を行い、通信保安モジュール(22)は統合レンダリング管理モジュール(21)の制御下で、ＳＧＤハンドリングエージェント(10)から伝送されるＳＧＤ（300）及びＳＧＤ伝送リスト(403)の保安暗号を解除する過程を行う。
【００６５】
上述した過程を通じて、ＳＧＤ（300）及びＳＧＤ伝送リスト(403)の圧縮/暗号等が解除され、業体（機関）側の正当性可否が認証されると、統合レンダリング管理モジュール(21)はその即時、レンダリング作業指示管理モジュール(33)を活用し、一連のＳＧＤレンダリング作業をレンダリング実行ツール(40)の個別作業状況に合せ、選択的に指示する手続きを行う（段階Ｓ205）。
【００６６】
このような手続き内で、レンダリング実行ツール(40)のレンダリング管理モジュール(41)はレンダリング作業指示管理モジュール(33)の指示により、一連のＳＧＤレンダリング手続きを総括的に進行・管理する過程を進行し、レンダリング実行エンジン(46)はレンダリング管理モジュール(41)の制御下でＳＧＤ（300）を映像加工メモリ(48)のレンダリング領域（48a)にローディングさせた後、一連のレンダリングルーチンを実行させ、ＳＧＤ（300）を実質的にレンダリング加工し、これを通して、一連のレンダリング結果データを安定的に生成する過程を行う。
【００６７】
また、データフォーマット変換モジュール(42)はレンダリング管理モジュール(41)の制御下で、レンダリング実行エンジン(46)から出力されるレンダリング結果データを伝達された後、該レンダリング結果データのフォーマットを上述した業体（機関）側コンソール（1）に適した形式に変換する過程を行い、作業追跡モジュール(44)はレンダリング実行エンジン(46)のレンダリング作業状況をプロセスＩＤ別に追跡管理し、もし、レンダリング実行エンジン(46)の作業異常が発見される場合、一連のレンダリングエラーメッセージ、レンダリング警告メッセージ等を生成し、これをレンダリング誤謬データチェックモジュール(34)側に伝達する過程を行い、通信状態チェックモジュール(43)は統合レンダリング管理サーバ(20)側とのネットワーク状態をチェックし、もし、統合レンダリング管理サーバ(20)側とのネットワーキング状態に異常が発見される場合、これをレンダリング管理モジュール(41)側に速やかに通知する過程を行う。
【００６８】
勿論、このようなレンダリング実行ツール(40)構成要素の動作と共に統合レンダリング管理サーバ(20)側の各構成要素、例えば、レンダリング誤謬データチェックモジュール(34)、通信状態チェックモジュール(32)等も一連のＳＧＤレンダリング補助過程を同時に行う。
【００６９】
一例に、通信状態チェックモジュール(32)は統合レンダリング管理モジュール(21)の制御下で、各レンダリング実行ツール(40)とのネットーワーク状態をチェックし、もし、各レンダリング実行ツール(40)とのネットワーキング状態に異常が発見される場合、これを統合レンダリング管理モジュール(21)側に速やかに通知する過程を行い、レンダリング誤謬データチェックモジュール(34)は統合レンダリング管理モジュール(21)の制御下で、レンダリング実行ツール(40)から出力されるレンダリングエラーメッセージ、レンダリング警告メッセージ等をチェックし、その結果を統合レンダリング管理モジュール(21)に速やかに通知することにより、もし、レンダリング実行ツール(40)によるレンダリング手続きに一連の誤謬状況が発生する場合、例えば、レンダリング作業指示管理モジュール(33)による再作業指示を通して該誤謬状況が弾力的に治癒されうるようガイドする過程を行う。
【００７０】
一方、上述した過程が進行される状況で、統合レンダリング管理モジュール(21)はレンダリング実行ツール(40)の動作状況をチェックすることにより、該レンダリング実行ツール(40)から一連のレンダリング結果データが出力されたかの可否を判断する（段階Ｓ206）。
【００７１】
この際、各レンダリング実行ツール(40)から別途のレンダリング結果データが出力されなかったことに判断されると、統合レンダリング管理モジュール(21)はフローを段階Ｓ207に進行し、一連の待機状態を保持する。
【００７２】
しかし、各レンダリング実行ツール(40)から一連のレンダリング結果データが出力されたことに判断されると、統合レンダリング管理モジュール(21)はその即時、レンダリング結果データチェックモジュール（35）を活用し、レンダリング結果データの正常有無、例えば、“レンダリング結果データのサイズが予め定められた誤差許容範囲内にあるかの可否”等をチェックする手続きを行う（段階Ｓ208、Ｓ209）。
【００７３】
この際、レンダリング結果データに一連の欠陥が発見される場合、統合レンダリング管理モジュール(21)はその即時、レンダリング作業指示管理モジュール(33)を活用し、レンダリング実行ツール(40)にレンダリング作業の再実行を指示し、これを通して、該レンダリング結果データの欠陥を修正する手続きを行う（段階Ｓ210）。
【００７４】
しかし、前記レンダリング結果データに別途の欠陥が発見されない場合、統合レンダリング管理モジュール(21)はその即時、レンダリング結果データ貯蔵管理モジュール(24)を活用し、該レンダリング結果データを例えば、レンダリング結果Ｄ/Ｂ(29)に貯蔵することにより、該レンダリング結果データが追後、各業体（機関）側に安定的に提供されることの出来る基盤環境を設ける（段階Ｓ211）。
【００７５】
このように、本発明の場合、各業体（機関）側コンソール（1）から出力されるターゲット映像物を１：Ｎ取り合わせた後、取り合わせて完了されたターゲット映像物を多数のレンダリング実行ツール(40)を通して分散・処理できる一連のモジュール環境を構築し、これを通して、相異なる多くの業体（機関）側必要映像物が統合環境内で、並列に高速レンダリング処理されうるようガイドするため、本発明が具現される場合、各業体（機関）側では自体コンピュータ資源の活用なしにも、所期のレンダリング映像物を容易に取得できるようになる。
【００７６】
勿論、このような本発明の実施により、業体（機関）側で要請した多数の映像物が並列に速成レンダリング処理されうる一連のモジュール環境が提供される場合、各業体（機関）側では映像物自体レンダリングプロセスの進行必要性を自然に排除してもらえるようになる、結局、本発明の体制下で、該業体（機関）側では高価コンピュータ資源の自体具備による費用所要の問題点、ターゲット映像物のレンダリング結果を長時間待たなければならない問題点等が容易に避けられることになる。
【００７７】
一方、上述した段階Ｓ211が進行された状況で、統合レンダリング管理モジュール(21)は例えば、ＳＧＤ伝送リスト(403)に記載された業体（機関）側オプション内訳をチェックし、該業体（機関）側で、“レンダリング結果データをオンライン伝送すること”を要請したかの可否を判断する（段階Ｓ212、Ｓ213）。
【００７８】
この際、該業体（機関）側で、オプションを通して、レンダリング結果データをオンライン伝送することを要請した場合、統合レンダリング管理モジュール(21)はその即時、該レンダリング結果データを圧縮し、圧縮完了されたレンダリング結果データに保安暗号を設定する手続きを行う（段階Ｓ214、Ｓ215）。
【００７９】
このような手続き内で、圧縮管理モジュール(36)は統合レンダリング管理モジュール(21)から出力されるレンダリング結果データを圧縮・管理する過程を行い、通信保安モジュール(22)は圧縮管理モジュール(36)により圧縮完了されたレンダリング結果データに一連の保安暗号を設定する過程を行う。
【００８０】
以降、統合レンダリング管理モジュール(21)は通信保安モジュール(22)により保安暗号が設定されたレンダリング結果データを通信網（200）を媒介にし、ＳＧＤハンドリングエージェント側に伝送する手続きを行い、本発明による一連のサーバ側レンダリングターゲットデータハンドリングプロセス（段階Ｓ200）を安定的に終結する。
【００８１】
以上で説明したように、本発明では 各業体（機関）側コンソール(Console)から出力されるターゲット映像物を１：N取り合わせた後、取り合わせて完了されたターゲット映像物を多数のレンダリングツールを介して分散・処理できる一連のモジュール環境を構築し、これを通して相異なる多くの業体側必要映像物が統合環境内で並列に高速レンダリング処理されることが出来るようにガイドすることにより、各業体(機関)側で自体コンピュータ資源の活用なしにも、所期のレンダリング映像物を容易に取得できるように誘導する。
【００８２】
このような本発明の実施により、各業体(機関)側から要請した多数の映像物が並列に速成レンダリング処理されうる一連のモジュール環境が提供される場合、各業体(機関)側では映像物自体のレンダリングプロセスの進行必要性を自然に排除してもらうことが出来ることになり、結局、本発明の体制下で、該業体（機関）側では高価コンピュータ資源の自体具備による費用所要の問題点、ターゲット映像物のレンダリング結果を長時間待たなければならない問題点等を容易に避けられることになる。
【００８３】
以上で、本発明の特定な実施例が説明され図示されたが、本発明が当業者により多様に変形され実施される可能性があることは自明なことである。
【００８４】
このような変形された実施例は本発明の技術的思想や観点から個別的に理解しては困るし、このような変形された実施例は本発明の添付された特許請求の範囲内に属すると見なすべきであろう。
【図面の簡単な説明】
【００８５】
【図１】図１は、本発明によるオンライン網を基盤とする統合レンダリングシステムを概念的に示した例示図。
【図２】図２は、本発明によるＳＧＤ選択抽出モジュールを概念的に示した例示図。
【図３】図３は、本発明によるレンダリング実行ツールを概念的に示した例示図。
【図４】図４は、本発明によるレンダリングターゲットデータハンドリング方法を順次的に示した順序図。
【図５】図５は、本発明によるレンダリングターゲットデータハンドリング方法を順次的に示した順序図。
【図６】図６は、本発明の実施によるＳＧＤプラットホームを概念的に示した例示図。
【図７】図７は、本発明の実施によるＳＧＤ抽出リストを概念的に示した例示図。
【図８】図８は、 本発明の実施によるＳＧＤ伝送リストを概念的に示した例示図。
【符号の説明】
【００８６】
10  ＳＧＤハンドリングエージェント
20  統合レンダリング管理サーバ
40  レンダリング実行ツール
100  統合レンダリングシステム
【図１】
2005056373.tif 000003
【図２】
2005056373.tif 000004
【図３】
2005056373.tif 000005
【図４】
2005056373.tif 000006
【図５】
2005056373.tif 000007
【図６】
2005056373.tif 000008
【図７】
2005056373.tif 000009
【図８】
2005056373.tif 000010